(57)【要約】      （修正有）【課題】独居者や認知症患者または寝たきり病人が屋外または屋内で緊急状況に遭遇したとき即時に現在の活動状態、生理信号及び所在位置の位置情報を取得し、かつリアルタイムで介護者または管理者に通知して必要な救助を行うことを可能にする、活動状態または位置をリアルタイムでモニタリングする装置を提供する。【解決手段】活動状態または位置をリアルタイムでモニタリングする装置１０は、少なくとも１つのセンサー１０１、少なくとも１つの受信機１０２、サーバーユニット１０３、データベースユニット１０４を含み、ワイヤレスアドホックネットワーク１０１１及びローカルエリアネットワーク１０２１を通してユーザーまたはオブジェクトの信号をリアルタイム動態ブラウザ１０５に転送し、ユーザーまたはオブジェクトの活動状態または位置をリアルタイムでモニタリングすることができる。【選択図】図１
0003194729.tif 000002
【実用新案登録請求の範囲】
【請求項１】
活動状態または位置をリアルタイムでモニタリングする装置であって、少なくとも１つのセンサーと、少なくとも１つの受信機と、サーバーユニットと、データベースユニットを含み、
前記少なくとも１つのセンサーが、三軸センサーチップ及び第１ＲＦチップを含み、前記センサーが少なくとも１つのユーザーまたは少なくとも１つのオブジェクトの活動状態を検出し、ワイヤレスアドホックネットワーク（Ｗｉｒｅｌｅｓｓ  Ａｄ  Ｈｏｃ  Ｎｅｔｗｏｒｋ）を介して少なくとも１つのパラメータデータを周期的に送信するために用いられ、
前記少なくとも１つの受信機が、第２ＲＦチップを含み、前記受信機が前記ワイヤレスアドホックネットワーク（Ｗｉｒｅｌｅｓｓ  Ａｄ  Ｈｏｃ  Ｎｅｔｗｏｒｋ）を介して前記センサーに接続され、前記第２ＲＦチップを利用して前記センサーの送信するワイヤレス信号の強度を測定し、かつ前記ユーザーまたは前記オブジェクトのパラメータデータを受信して、ローカルエリアネットワークを介しパラメータデータ及び前記ワイヤレス信号をネットワークアドレスを有する前記サーバーユニットに周期的に送信し、そのうち、前記ローカルエリアネットワークはイーサネットを使用し、そのアクセス技術はブロードバンドまたはナローバンドとし、且つ、前記リアルタイムでモニタリングする位置は前記ユーザーまたは前記オブジェクトをポジショニングした所在位置であって、前記受信機が前記センサーのすべてのパケットデータを收集し、前記センサーのワイヤレスパケットシリアル番号に基づいて前記受信機が受信したパケットデータを分類かつ比較をしており、前記受信機が受信したセンサーから送信されるワイヤレス信号の強度が強いほど、ユーザーまたはオブジェクトの所在位置をポジショニングでき、
前記サーバーユニットが、前記ユーザーまたはオブジェクトの少なくとも１情報を設定するために用いられ、前記情報に対して前記ネットワークアドレスを有する前記サーバーユニットが受信するパラメータデータの照合が行われ、かつ前記サーバーユニットの演算ユニットにより前記パラメータデータ及び前記信号が信号データに変換され、
前記データベースユニットが、前記サーバーユニットに接続され、前記ユーザーまたは前記オブジェクトの前記信号データを保存するために用いられ、かつ前記サーバーユニットにより前記信号データをリアルタイム動態ブラウザに編集し、前記リアルタイム動態ブラウザを介してユーザーまたはオブジェクトの活動状態またはポジショニングした位置を表示する、
ことを特徴とする、活動状態または位置をリアルタイムでモニタリングする装置。
【請求項２】
前記センサーがさらに、前記第１ＲＦチップを利用して脈拍信号を前記ワイヤレスアドホックネットワーク（Ｗｉｒｅｌｅｓｓ  Ａｄ  Ｈｏｃ  Ｎｅｔｗｏｒｋ）経由で前記受信機に送信する着脱式脈拍センサーを含むことを特徴とする、請求項１に記載の活動または位置をリアルタイムでモニタリングする装置。
【請求項３】
前記センサーがさらに緊急ボタンを含み、前記第１ＲＦチップによりユーザーまたはオブジェクトのパラメータデータ及び信号を送信し、前記ワイヤレスアドホックネットワーク（Ｗｉｒｅｌｅｓｓ  Ａｄ  Ｈｏｃ  Ｎｅｔｗｏｒｋ）経由で前記リアルタイム動態ブラウザに送信して前記ユーザーまたは前記オブジェクトの状態について管理者の注意を喚起することを特徴とする、請求項１に記載の活動または位置をリアルタイムでモニタリングする装置。
【請求項４】
前記パラメータデータがセンサーシリアル番号、三軸センサーチップにより測定された活動状態、脈拍信号状態または緊急ボタンの状態を含むことを特徴とする、請求項１に記載の活動または位置をリアルタイムでモニタリングする装置。
【請求項５】
前記センサーがさらに、前記信号の強度の伝送距離を増加するための出力増幅器を含むことを特徴とする、請求項１に記載の活動または位置をリアルタイムでモニタリングする装置。
【請求項６】
前記受信機がワイヤレスネットワーク受信モジュール及びローカルエリアネットワークモジュールを含むことを特徴とする、請求項１に記載の活動または位置をリアルタイムでモニタリングする装置。
【請求項７】
前記センサーが第１マイクロプロセッサを含み、前記受信機が第２マイクロプロセッサを含むことを特徴とする、請求項１に記載の活動または位置をリアルタイムでモニタリングする装置。
【請求項８】
前記第１マイクロプロセッサが前記センサーの少なくとも１つのアナログ信号を受信し、それを少なくとも１つのデジタル信号に変換して前記ワイヤレスネットワーク受信モジュールに送信するために用いられ、前記第２マイクロプロセッサが、前記ワイヤレスネットワーク受信モジュールの受信するパラメータデータ及び信号強度を収集し、それをローカルエリアネットワークモジュールに送信するために用いられることを特徴とする、請求項７に記載の活動または位置をリアルタイムでモニタリングする装置。
【請求項９】
前記サーバーユニットが緊急連絡ユニットを含み、前記センサーの送信するパラメータデータの数値がサーバーユニットに設定された臨界値より低いまたは高いとき、前記緊急連絡ユニットが前記ユーザーまたはオブジェクトの活動状態または位置を確認するよう管理者に自動的に通知することを特徴とする、請求項１に記載の活動または位置をリアルタイムでモニタリングする装置。
【請求項１０】
前記ローカルエリアネットワークがイーサネットであることを特徴とする、請求項１に記載の活動または位置をリアルタイムでモニタリングする装置。
【請求項１１】
前記サーバーユニット及びデータベースユニットがクラウド演算装置であることを特徴とする、請求項１に記載の活動または位置をリアルタイムでモニタリングする装置。
【請求項１２】
前記情報が個人データ、オブジェクト名、活動状態、脈拍信号、信号数値または所在位置を含むことを特徴とする、請求項１に記載の活動または位置をリアルタイムでモニタリングする装置。
【請求項１３】
前記ユーザーが独居者、認知症患者または寝たきり病人であることを特徴とする、請求項１に記載の活動または位置をリアルタイムでモニタリングする装置。
【考案の詳細な説明】
【技術分野】
【０００１】
本考案はユーザーまたはオブジェクトの活動状態または位置をリアルタイムでモニタリングする装置に関する。
【背景技術】
【０００２】
人口の老化に伴い、長期的に独居者（老人）、認知症患者（老人）または寝たきりの病人を介護することは非常に重要なこととなっており、現今の在宅介護及び介護施設の設立は長期介護の問題を確かに一部解決している。
【０００３】
現在の介護施設には大型のモニタリング機器（心電図など）を配置して生理信号のモニタリングに用いているが、このモニタリング方式は一対一の使用しかできず、同時にほかの患者の生理信号状態をモニタリングすることはできない。また、現在すでに高齢化社会に突入しているため、介護施設のリソース（病床数や介護人材）では増加し続ける老人を介護することができなくなっており、介護施設の費用も大多数の人が負担できるものではない。
【０００４】
一方で現在の在宅医療設備には通信及びビデオ機能が結合されており、ネットワークによって遠隔にいるリモートの医療従事者が突発的状況をすぐさま対応できるようになっているが、このような在宅医療介護設備の使用は老人にとって非常に複雑で費用も高く、また認知症患者の場合関連医療設備を常時携帯していないと、遠隔にいる医療従事者が認知症患者の活動状態及び位置をリアルタイムでモニタリングすることができない。
【０００５】
ネットワークと通信技術の進歩に伴い、現在すでにＺｉｇｂｅｅ（登録商標である）技術が在宅介護及び医療モニタリングの領域で応用されており、またＷｉ−Ｆｉ（登録商標である）の識別とポジショニング機能を利用して在宅介護ポジショニングシステムが開発されている。Ｚｉｇｂｅｅ技術は、ＩＥＥＥ（登録商標である）  ８０２ネットワーク規格において、ブルートゥース（登録商標である）またはＷｉ−Ｆｉと比べてより省エネの技術である（表１）。しかしながら、Ｚｉｇｂｅｅシステムは、スター型トポロジ（ｓｔａｒ  ｔｏｐｏｌｏｇｙ）、メッシュ型トポロジ（ｍｅｓｈ  ｔｏｐｏｌｏｇｙ）またはクラスタツリー型トポロジ（ｃｌｕｓｔｅｒ−ｔｒｅｅ  ｔｏｐｏｌｏｇｙ）等のネットワーク通信フレームワークを定めており、上述のネットワーク通信フレームワークに合致するシステム、機器の間でのみ相互通信が可能である。さらに、ネットワーク通信フレームワークの間にはＰＡＮコーディネータ（ＰＡＮ  ｃｏｏｒｄｉｎａｔｏｒ）が必要であり、それによりネットワーク全体の運用を維持し、あらゆるパケットデータがコーディネータによる分配を経なければならず、パケットデータにコーディネータのタグが追加される。必要がある伝送の過程においては、コーディネータの存在で、効率的にリアルタイムでユーザーの移動過程中のポジショニングを検出することができない。
【０００６】
【表１】
0003194729.tif 000003
【考案の概要】
【考案が解決しようとする課題】
【０００７】
これまでの介護装置では独居者や認知症患者または寝たきり病人の活動状態及び位置をリアルタイムで効率的にモニタリングできない上、モニタリング装置の費用が高く、消費電力が大きい等の問題があり、それを鑑み、本考案の目的は、独居者や認知症患者または寝たきり病人が屋外または屋内で緊急状況に遭遇したとき即時に現在の活動状態、生理信号及び所在位置の位置情報を取得し、かつリアルタイムで介護者または管理者に通知して必要な救助を行うことを可能にする、活動状態または位置をリアルタイムでモニタリングする装置を提供することにある。
【課題を解決するための手段】
【０００８】
実体の構成において、本考案の提供する活動状態または位置をリアルタイムでモニタリングする装置は、（ａ）少なくとも１つのセンサーと、（ｂ）少なくとも１つの受信機と、（ｃ）サーバーユニットと、（ｄ）データベースユニットを含み、前記少なくとも１つのセンサーが三軸センサーチップ及び第１ＲＦチップ（Ｒａｄｉｏ  Ｆｒｅｑｕｅｎｃｙ  Ｃｈｉｐ）を含み、少なくとも１ユーザーまたは１オブジェクトの活動状態の検出に用いられ、かつワイヤレスアドホックネットワーク（Ｗｉｒｅｌｅｓｓ  Ａｄ  Ｈｏｃ  Ｎｅｔｗｏｒｋ）を通して周期的に少なくとも１パラメータデータを送信しており、前記少なくとも１つの受信機が第２ＲＦチップを含み、前記ワイヤレスアドホックネットワーク（Ｗｉｒｅｌｅｓｓ  Ａｄ  Ｈｏｃ  Ｎｅｔｗｏｒｋ）を介して前記センサーに接続され、前記第２ＲＦチップを利用して前記センサーの送信する信号の強度を測定し、かつ前記ユーザーまたは前記オブジェクトのパラメータデータを受信し、ローカルエリアネットワークによってパラメータデータ及び信号を１ネットワークアドレスに周期的に送信しており、前記サーバーユニットが、前記ユーザーまたはオブジェクトの少なくとも１情報を設定するために用いられ、前記情報が前記ネットワークアドレスの受信するパラメータデータと照合され、かつ前記パラメータデータ及び信号が前記サーバーユニットの演算ユニットにより信号データに変換されており、前記データベースユニットが前記サーバーユニットに接続され、前記ユーザーまたは前記オブジェクトの前記信号データの保存に用いられ、かつ前記サーバーユニットにより前記信号データをリアルタイム動態ブラウザ（ｒｅａｌ−ｔｉｍｅ  ｄｙｎａｍｉｃ  ｂｒｏｗｓｅｒ）に編集し、前記リアルタイム動態ブラウザを介してユーザーまたはオブジェクトの活動状態または位置を表示する。
【０００９】
本考案でいう「パラメータデータ」は、センサーシリアル番号、三軸センサーチップにより測定された活動状態、脈拍信号状態、緊急ボタンの状態が含まれる（また、これらに限らない）。
【００１０】
本考案でいう「信号の強度」は、第２ＲＦチップによって測定されたワイヤレスパケットの信号（強度）であり、受信信号強度指標（Ｒｅｃｅｉｖｅ  Ｓｉｇｎａｌ  Ｓｔｒｅｎｇｔｈ  Ｉｎｄｉｃａｔｏｒ，ＲＳＳＩ）と定義される。
【００１１】
本考案でいう「情報」とは、個人データ、オブジェクト名、活動状態、脈拍信号、信号数値または所在位置が含まれる（また、これらに限らない）。
【００１２】
本考案でいう「ユーザー」とは、独居者や認知症患者または寝たきり病人が含まれる（また、これらに限らない）。
【００１３】
本考案でいう「受信機」は、信号が保存された位置を自動検索する受信機を指す。
【００１４】
具体的な一実施例において、本考案のセンサーはさらに着脱式脈拍センサーを含んでもよく、前記着脱式脈拍センサーは、前記第１ＲＦチップを介して脈拍信号を前記ワイヤレスアドホックネットワーク（Ｗｉｒｅｌｅｓｓ  Ａｄ  Ｈｏｃ  Ｎｅｔｗｏｒｋ）を経由し前記受信機に転送する。
【００１５】
具体的な一実施例において、本考案のセンサーはさらに緊急ボタンを含み、前記第１ＲＦチップを介してユーザーまたはオブジェクトのパラメータデータ及び信号を送信し、前記ワイヤレスアドホックネットワーク（Ｗｉｒｅｌｅｓｓ  Ａｄ  Ｈｏｃ  Ｎｅｔｗｏｒｋ）を経由し前記リアルタイム動態ブラウザに転送し、管理者に前記ユーザーまたは前記オブジェクトの状態の注意を喚起される。
【００１６】
上述の具体的な実施例において、本考案の信号の強度は、センサーに含まれる出力増幅器を通して無線伝送距離を増加し、無線伝送距離を１００ｍ以上に到達させることができる。
【００１７】
具体的な一実施例において、本考案の受信機はワイヤレスネットワーク受信モジュール及びローカルエリアネットワークモジュールを含み、そのうち前記ワイヤレスネットワーク受信モジュールはＩＥＥＥ８０２．１５．４の標準規格であり、省電力の効果を達することができ、ブルートゥースまたはＷｉ−Ｆｉなどその他ワイヤレスネットワークで代替する場合、省電力の効果を達することはできない。さらに、本考案の構成はワイヤレスアドホックネットワーク（Ｗｉｒｅｌｅｓｓ  Ａｄ  Ｈｏｃ  Ｎｅｔｗｏｒｋ）を利用しているため、「複数対１」の転送または「複数対複数」の転送の機能を達することができる。
【００１８】
具体的な一実施例において、本考案でいうローカルエリアネットワーク（モジュール）は、病院やオフィス、階層等のローカルエリアをカバーするコンピュータネットワークを指し、前記ローカルエリアネットワークはトークンリング（Ｔｏｋｅｎ  Ｒｉｎｇ）、光ファイバ分散データインタフェース（Ｆｉｂｅｒ  Ｄｉｓｔｒｉｂｕｔｅｄ  Ｄａｔａ  Ｉｎｔｅｒｆａｃｅ、ＦＤＤＩ）及びイーサネット（Ｅｔｈｅｒｎｅｔ）（登録商標である）を含むが、これらに限らず、最良の一実施例において、本考案のローカルエリアネットワークはイーサネットＩＥＥＥ  ８０２．３を採用する。
【００１９】
具体的な一実施例において、本考案のセンサーは第１マイクロプロセッサを含み、前記受信機は第２マイクロプロセッサを含み、そのうち第１マイクロプロセッサは前記センサーの少なくとも１アナログ信号を受信するために用いられ、それを少なくとも１つのデジタル信号に変換し、かつそれを前記ワイヤレスネットワーク受信モジュールに転送しており、第２マイクロプロセッサは前記ワイヤレスネットワーク受信モジュールが受信したパラメータデータ及び信号を収集するために用いられ、それらをローカルエリアネットワークモジュールに転送している。
【００２０】
具体的な一実施例において、本考案のサーバーユニットは、緊急連絡ユニットを含み、活動状態、脈拍状態及び緊急ボタン状態が送信するパラメータデータの数値がサーバーに設定された臨界値または禁止範囲より高いまたは低いとき、前記緊急連絡ユニットが管理者に自動的に通知して前記ユーザーまたはオブジェクトの活動状態または位置を確認する。
【００２１】
具体的な一実施例において、本考案のサーバーユニット及びデータベースユニットはクラウド演算装置とすることができ、すべてのパラメータデータ及び信号は、クラウドサーバー及びクラウドデータベースを介して演算及び保存することができ、何らかの異常が発生した場合、クラウドサーバーからローカルエリアネットワークを介して警告メッセージを送信し、管理者に通知することができる。
【００２２】
本考案がさらに提供する活動及び位置をリアルタイムでモニタリングする方法は、（ａ）ユーザーまたはオブジェクトの少なくとも１情報をサーバーユニットに設定する工程と、（ｂ）センサーを利用して前記ユーザーまたは前記オブジェクトの活動状態を検出し、第１ＲＦチップによりワイヤレスアドホックネットワーク（Ｗｉｒｅｌｅｓｓ  Ａｄ  Ｈｏｃ  Ｎｅｔｗｏｒｋ）で少なくとも１つのパラメータデータを周期的に送信する工程と、（ｃ）受信機の第２ＲＦチップを利用して前記センサーの送信する信号の強度を測定し、かつ前記ユーザーまたは前記オブジェクトのパラメータデータを受信する工程と、（ｄ）前記受信機がローカルエリアネットワークを介して前記センサーのデータパラメータ及び信号をネットワークアドレスに周期的に送信する工程と、（ｅ）工程（ａ）の情報と前記ネットワークアドレスが受信したパラメータデータを照合する工程と、（ｆ）前記サーバーユニットの演算ユニットを介して前記パラメータデータ及び前記信号を信号データに変換する工程と、（ｇ）前記信号データをデータベースユニットに保存し、前記サーバーユニットにより前記信号データをリアルタイム動態ブラウザに編集し、前記リアルタイム動態ブラウザを介してユーザーまたはオブジェクトの活動状態または位置を表示する工程を含む。
【００２３】
本考案の上述及びその他の目的と利点は、下述する実施例の詳細な説明と図面からより深く理解されるであろう。
【図面の簡単な説明】
【００２４】
【図１】本考案の装置の構成を示す概略図である。
【図２】本考案の装置の具体的な実施例の概略図である。
【図３】本考案のポジショニング後の実施例である。
【図４】本装置をワイヤレスアドホックネットワーク下に構築し、１００個のセンサーの平均パケット到達率が９７％以上に達することを示すグラフである。
【図５】本装置をワイヤレスアドホックネットワーク下に構築したときの単一センサーの毎時のパケット到達率の分布状況である。
【図６】本装置のセンサーのワイヤレスパケット送信を示すフローチャートである。
【考案を実施するための形態】
【００２５】
本考案の技術的特徴及び実用的効果について詳細な理解を促進し、かつ明細書の内容に基づいた実施を可能にするため、以下図面と最良の実施例を参照しながら詳細に説明する。
【実施例１】
【００２６】
本考案の装置の構成
図１と図２は本考案の活動及び位置をリアルタイムでモニタリングする装置の応用実施例を示す。本考案の装置１０は、独居者や認知症患者または寝たきり病人をリアルタイムでモニタリングするために用いる装置であり、介護者または管理者が同時に多数の独居者や認知症患者または寝たきり病人をモニタリングすることを可能し、特に、独居者または認知症患者に屋外で緊急状況が発生したとき、リアルタイムで活動状態信号または生理信号を送信することができる。本実施例において、本考案の装置にはワイヤレスネットワークが結合され、特に、ワイヤレスアドホックネットワーク（Ｗｉｒｅｌｅｓｓ  Ａｄ  Ｈｏｃ  Ｎｅｔｗｏｒｋ）１０１１及びローカルエリアネットワーク１０２１により、活動及び位置のリアルタイムのモニタリング機能を達成する。
【００２７】
図１及び図２に示すように、本考案の装置１０は、（ａ）少なくとも１つのセンサー１０１、（ｂ）少なくとも１つの受信機１０２、（ｃ）サーバーユニット１０３、（ｄ）データベースユニット１０４を含む。以下これらの部材の機能とそれぞれのインターネットとの接続関係について説明する。
【００２８】
（ａ）センサー１０１：
一実施例において、ユーザーが自身にセンサーを装着しているとき、前記センサー１０１に含まれる三軸センサーチップ１０１２が、屋外または屋内のユーザーまたはオブジェクトの活動状態を検出でき、ワイヤレスアドホックネットワーク１０１１の構成下で、第１ＲＦチップ１０１３を介してユーザーまたはオブジェクトのパラメータデータを周期的に（３〜１０秒）送信する。
【００２９】
別の一実施例において、ユーザーが装着するセンサー１０１には着脱式脈拍センサー２０１を結合してもよく、隨時ユーザーの脈拍を測定し、第１ＲＦチップ１０１３を介して脈拍信号をワイヤレスアドホックネットワーク１０１１経由で周期的に（３〜５秒）送信し、ユーザーの脈拍数値に異常が見られるとき、管理者は動態ブラウザ１０５からユーザーの状況を取得し、適切な処理を行うことができる。本実施例において、述べられているパラメータデータとはセンサーシリアル番号、ユーザーまたはオブジェクトの活動状態、脈拍信号状態、緊急ボタン状態を指す。
【００３０】
（ｂ）受信機１０２：
ワイヤレスアドホックネットワーク１０１１下で、ユーザーがセンサー１０１を装着したとき、屋外または屋内に設置された受信機が第２ＲＦチップ１０１４を介してセンサーの送信するワイヤレス信号強度を測定し、かつ前記ユーザーまたは前記オブジェクトのパラメータデータ（三軸センサーチップ１０１２または脈拍センサー２０１のパラメータデータを含む）を受信する。また、本考案の受信機はワイヤレスネットワーク受信モジュール６０１及びローカルエリアネットワークモジュール６０２を含むため、受信機がユーザーまたはオブジェクトのパラメータデータを受信すると、ローカルエリアネットワークモジュール６０２を介してパラメータデータ及びワイヤレス信号強度をネットワークアドレスに周期的に送信する。実施例において、前記ローカルエリアネットワーク１０２１はイーサネットネットワーク（Ｅｔｈｅｒｎｅｔ  Ｎｅｔｗｏｒｋ）を採用する。
【００３１】
上述の実施例において、述べられている「周期的」とはセンサーがパラメータデータ（信号）を送信する時間間隔を指し、１秒、２秒．．．または１５秒などとすることができ、時間間隔が短いほど、消費するエネルギーが多くなるが、リアルタイム性が高まる。また、図３の本考案のポジショニング後の実施例に示すように、本考案のポジショニング機能は受信機がまず特定のセンサーのすべてのパケットデータを收集し、センサーのワイヤレスパケットシリアル番号に基づいて受信機が受信したパケットデータを分類かつ比較をしており、受信機が受信したセンサーから送信される信号強度が強いほど、ユーザーまたはオブジェクトの所在位置をポジショニングできる。本実施例において設定された時間が３０秒を超過すると、ポジショニングに誤差が生じる。
【００３２】
上述の実施例において、述べている「ワイヤレス信号強度」とは第２ＲＦチップにより測定されたワイヤレスパケットの信号（強度）であり、受信信号強度指標（Ｒｅｃｅｉｖｅ  Ｓｉｇｎａｌ  Ｓｔｒｅｎｇｔｈ  Ｉｎｄｉｃａｔｏｒ，ＲＳＳＩ）と定義される。本実施例において、ワイヤレス信号強度はパラメータデータと併せてサーバーユニットに送信され、計算と保存が行われる。
【００３３】
（ｃ）サーバーユニット１０３及び（ｄ）データベースユニット１０４：
本実施例において、サーバーユニット１０３及びデータベースユニット１０４はワイヤレスネットワークまたはローカルエリアネットワークを通して接続され、最良の実施例において、前記サーバーユニット１０３及びデータベースユニット１０４はクラウド演算装置９０２である。
【００３４】
実施過程において、ユーザーまたはオブジェクトの情報は先にサーバーユニット１０３中に設定しておく必要があり、ネットワークアドレスがパラメータデータ及び信号を受信すると、同時にユーザーまたはオブジェクトのあらかじめ設定されたデータと照合し、パラメータデータ及び信号強度を前記サーバーユニット１０３の演算ユニットにより信号データに変換し、前記信号データをデータベースユニット１０４に送信して保存する。同時にインターネット１０２２を利用して前記サーバーユニット１０３を介し前記信号データをリアルタイム動態ブラウザ１０５に編集し、前記リアルタイム動態ブラウザ１０５でユーザーまたはオブジェクトの活動状態または位置を表示する。
【００３５】
別の一実施例において、図２に示すように、サーバーユニット１０３が緊急連絡ユニット９０１に接続されているため、センサー１０１の送信するパラメータデータの数値がサーバーユニット１０３に設定された臨界値より低いまたは高い場合、前記緊急連絡ユニット９０１が前記情報を動態ブラウザ１０５に表示するか、または音声を発して通知し、さらに、電子メールまたはショートメッセージを通して管理者３０２に通知することもできる。
【００３６】
上述の実施例において、述べている「インターネット」とは信号データを有線またはワイヤレス方式でサーバーユニットに転送するための接続を指す。そのうち、インターネットのアクセス技術（Ａｃｃｅｓｓ  ｔｅｃｈｎｏｌｏｇｙ）はブロードバンドまたはナローバンドとすることができる。
【００３７】
ブロードバンドは、例えば非対称デジタル加入者線（ＡＤＳＬ）、超高速デジタル加入者線（ＶＤＳＬ）、ケーブルテレビネットワーク、光ファイバ、ワイヤレスブロードバンド、電力線通信または人工衛星ブロードバンドとすることができる（また、これらに限らない）。
【００３８】
ナローバンドは、例えばダイヤルアップ接続、ナローバンド統合デジタル通信網（Ｉｎｔｅｇｒａｔｅｄ  Ｓｅｒｖｉｃｅｓ  Ｄｉｇｉｔａｌ  Ｎｅｔｗｏｒｋ）、移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）または第三世代モバイル通信技術（３ｒｄ−ｇｅｎｅｒａｔｉｏｎ）とすることができる（また、これらに限らない）。
【実施例２】
【００３９】
第１マイクロプロセッサ及び第２マイクロプロセッサがパラメータデータ及び信号強度を処理する方法。
図２に示すように、センサー１０１中の第１マイクロプロセッサ７０１は三軸センサーチップ１０１２、脈拍センサー２０１または緊急ボタン３０１のアナログ信号を受信し、前記アナログ信号をデジタル信号に変換し、計算を経た後一特定数値を取得することができる。周期的な方式でデータを第１ＲＦチップ１０１３のワイヤレスネットワーク受信モジュールに送信し、それによりＲＦチップのブロードキャスト機能がオンになり、データがワイヤレスネットワーク（ワイヤレスアドホックネットワーク１０１１など）で受信機１０２に送信された後、ブロードキャスト機能をオフにし、次のサイクルで信号が送信されると再びオンすることで、節電の効果を達することができる。
【００４０】
また、受信機中の第２マイクロプロセッサ７０２はワイヤレスネットワーク受信モジュールのデータ及びワイヤレス信号強度を収集し、データ及びワイヤレス信号強度をローカルエリアネットワークモジュール（イーサネットシステムなど）１０２１に送信し、周期的な方式でデータを特定のネットワークアドレス（サーバーユニット１０３）に送信する。
【実施例３】
【００４１】
ワイヤレスアドホックネットワークのパケット到達率テスト。
本考案の信号伝送及び送信はワイヤレスアドホックネットワーク（Ｗｉｒｅｌｅｓｓ  Ａｄ  Ｈｏｃ  Ｎｅｔｗｏｒｋ）の下に構築され、１００個のセンサーが１個の受信機に対して伝送する環境下で２４時間の一時間毎のテストにおいて、９０％以上のパケット到達率を証明するため、本実施例において、屋内にローカルエリアネットワーク及びサーバーを設置し、センサー及び受信機の設置間隔を約５ｍとして、センサーが３秒ごとに１回、ワイヤレスパケットを送信し、２４時間放置した後サーバーのデータを読み取り、分析を行った。図４に示すように、２４時間のテスト後、１００個のセンサーのパケット到達率は９３〜９９％であり、毎時の分布から観察すると、パケット到達率は最低でも８８％であった。また、図５に示すように、各センサーの毎時のパケット到達率分布状況を見ると、図４で示された９５％のパケット到達率が９３％を占めており、９０％以下のパケット到達率はわずか０.２５％であった。
【００４２】
過去の経験において、ブルートゥースマスター（Ｂｌｕｅｔｏｏｔｈ  Ｍａｓｔｅｒ）はわずか７個のクライアント（Ｃｌｉｅｎｔ）のみ接続でき、Ｗｉ−Ｆｉシステムは最多で３０個のクライアントのみ接続可能であって、ブルートゥース及びＷｉ−Ｆｉシステムの構成下で、クライアントは信号を受発信するとき、先にワイヤレスネットワークアクセスポイント（Ａｃｃｅｓｓ  ｐｏｉｎｔ）を探す必要があり、この方法では電力を非常に消費する。本考案の装置はＺｉｇｂｅｅシステムに類似しており、図３と図４に示すように、本考案の装置はワイヤレスアドホックネットワーク（Ｗｉｒｅｌｅｓｓ  Ａｄ  Ｈｏｃ  Ｎｅｔｗｏｒｋ）下に構築され、かつキャリア検知多重アクセス衝突回避（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ、ＣＳＭＡ／ＣＡ）に類似したメカニズムを利用してパケット衝突を防止しており、図６に示すように、大量のセンサーが大量の情報を受信機に送信したとしても、２４時間で９３％以上のパケット率を達することが可能であり、本考案のセンサーの電力は５５０ミリアンペア／時（ｍＡｈ）の容量の電池下でも半年から一年維持することができ、本考案はこれまでのＺｉｇｂｅｅ、ブルートゥース及びＷｉ−Ｆｉシステムと比較してより節電が可能である。このほか、本装置はさらに独居者、認知症患者及び寝たきり病人の活動状態及び位置の大規模なモニタリングが可能であり、現在各国における独居者、認知症患者及び寝たきり病人の問題を改善することができる。
【００４３】
以上の説明は、単に本考案の最良の実施例を示したまでであり、本考案に対していかなる形式上の制限も構成せず、当業者が本考案の提示した技術的特徴の範囲を逸脱せずに、本考案の開示する技術内容を利用して部分的な変化や修飾等を形成した同等効果の実施例は、本考案の技術的特徴の内容を逸脱しない場合、いずれも本考案の技術的特徴の範囲内に含まれる。
【符号の説明】
【００４４】
１０     本考案の装置
１０１   センサー
１０１１ ワイヤレスアドホックネットワーク
１０２   受信機
１０２１ ローカルエリアネットワーク
１０３   サーバーユニット
１０４   データベースユニット
１０２２ インターネット
１０５   リアルタイム動態ブラウザ
１０１２ 三軸センサーチップ
１０１３ 第１ＲＦチップ
１０１４ 第２ＲＦチップ
２０１   着脱式脈拍センサー
３０１   緊急ボタン
３０２   管理者
６０１   ワイヤレスネットワーク受信モジュール
６０２   ローカルエリアネットワークモジュール
７０１   第１マイクロプロセッサ
７０２   第２マイクロプロセッサ
９０１   緊急連絡ユニット
９０２   クラウド演算装置
【図１】
0003194729.tif 000004
【図２】
0003194729.tif 000005
【図３】
0003194729.tif 000006
【図４】
0003194729.tif 000007
【図５】
0003194729.tif 000008
【図６】
0003194729.tif 000009
【手続補正書】
【提出日】平成26年9月30日(2014.9.30)
【手続補正１】
【補正対象書類名】明細書
【補正対象項目名】００４２
【補正方法】変更
【補正の内容】
【００４２】
過去の経験において、ブルートゥースマスター（Ｂｌｕｅｔｏｏｔｈ  Ｍａｓｔｅｒ（登録商標である））はわずか７個のクライアント（Ｃｌｉｅｎｔ）のみ接続でき、Ｗｉ−Ｆｉシステムは最多で３０個のクライアントのみ接続可能であって、ブルートゥース及びＷｉ−Ｆｉシステムの構成下で、クライアントは信号を受発信するとき、先にワイヤレスネットワークアクセスポイント（Ａｃｃｅｓｓ  ｐｏｉｎｔ）を探す必要があり、この方法では電力を非常に消費する。本考案の装置はＺｉｇｂｅｅ（登録商標である）システムに類似しており、図３と図４に示すように、本考案の装置はワイヤレスアドホックネットワーク（Ｗｉｒｅｌｅｓｓ  Ａｄ  Ｈｏｃ  Ｎｅｔｗｏｒｋ）下に構築され、かつキャリア検知多重アクセス衝突回避（Ｃａｒｒｉｅｒ  Ｓｅｎｓｅ  Ｍｕｌｔｉｐｌｅ  Ａｃｃｅｓｓ  ｗｉｔｈ  ＣｏｌｌｉｓｉｏｎＡｖｏｉｄａｎｃｅ、ＣＳＭＡ／ＣＡ）に類似したメカニズムを利用してパケット衝突を防止しており、図６に示すように、大量のセンサーが大量の情報を受信機に送信したとしても、２４時間で９３％以上のパケット率を達することが可能であり、本考案のセンサーの電力は５５０ミリアンペア／時（ｍＡｈ）の容量の電池下でも半年から一年維持することができ、本考案はこれまでのＺｉｇｂｅｅ（登録商標である）、ブルートゥース（登録商標である）及びＷｉ−Ｆｉシステムと比較してより節電が可能である。このほか、本装置はさらに独居者、認知症患者及び寝たきり病人の活動状態及び位置の大規模なモニタリングが可能であり、現在各国における独居者、認知症患者及び寝たきり病人の問題を改善することができる。
【手続補正２】
【補正対象書類名】実用新案登録請求の範囲
【補正対象項目名】全文
【補正方法】変更
【補正の内容】
【実用新案登録請求の範囲】
【請求項１】
活動状態または位置をリアルタイムでモニタリングする装置であって、少なくとも１つのセンサーと、少なくとも１つの受信機と、サーバーユニットと、データベースユニットを含み、
前記少なくとも１つのセンサーが、三軸センサーチップ及び第１ＲＦチップを含み、前記センサーが少なくとも１つのユーザーまたは少なくとも１つのオブジェクトの活動状態を検出し、ワイヤレスアドホックネットワーク（Ｗｉｒｅｌｅｓｓ  Ａｄ  Ｈｏｃ  Ｎｅｔｗｏｒｋ）を介して少なくとも１つのパラメータデータを周期的に送信するために用いられ、
前記少なくとも１つの受信機が、第２ＲＦチップを含み、前記受信機が前記ワイヤレスアドホックネットワーク（Ｗｉｒｅｌｅｓｓ  Ａｄ  Ｈｏｃ  Ｎｅｔｗｏｒｋ）を介して、前記センサーに接続し、前記第２ＲＦチップを利用して前記センサーが送信するワイヤレス信号の強度を測定し、かつ前記ユーザーまたは前記オブジェクトのパラメータデータを受信し、さらにローカルエリアネットワークを介して、パラメータデータ及び前記ワイヤレス信号を、ネットワークアドレスを有する前記サーバーユニットに周期的に送信しており、そのうち、前記ローカルエリアネットワークはイーサネット（登録商標である）を使用し、そのアクセス技術はブロードバンドまたはナローバンドとし、且つ、前記リアルタイムでモニタリングする位置は前記ユーザーまたは前記オブジェクトをポジショニングした所在位置であって、前記受信機が前記センサーのすべてのパケットデータを收集し、前記センサーのワイヤレスパケットシリアル番号に基づいて前記受信機が受信したパケットデータを分類かつ比較をしており、
前記受信機が受信したセンサーから送信されるワイヤレス信号の強度が強いほど、ユーザーまたはオブジェクトの所在位置をポジショニングでき、
前記サーバーユニットが、前記ユーザーまたはオブジェクトの少なくとも１情報を設定するために用いられ、前記情報に対して前記ネットワークアドレスを有する前記サーバーユニットが受信するパラメータデータの照合が行われ、かつ前記サーバーユニットの演算ユニットにより前記パラメータデータ及び前記信号が信号データに変換され、
前記データベースユニットが、前記サーバーユニットに接続され、前記ユーザーまたは前記オブジェクトの前記信号データを保存するために用いられ、かつ前記サーバーユニットにより前記信号データをリアルタイム動態ブラウザに編集し、前記リアルタイム動態ブラウザを介してユーザーまたはオブジェクトの活動状態またはポジショニングした位置を表示する、
ことを特徴とする、活動状態または位置をリアルタイムでモニタリングする装置。
【請求項２】
前記センサーがさらに、前記第１ＲＦチップを利用して脈拍信号を前記ワイヤレスアドホックネットワーク（Ｗｉｒｅｌｅｓｓ  Ａｄ  Ｈｏｃ  Ｎｅｔｗｏｒｋ）経由で前記受信機に送信する着脱式脈拍センサーを含むことを特徴とする、請求項１に記載の活動または位置をリアルタイムでモニタリングする装置。
【請求項３】
前記センサーがさらに緊急ボタンを含み、前記第１ＲＦチップによりユーザーまたはオブジェクトのパラメータデータ及び信号を送信し、前記ワイヤレスアドホックネットワーク（Ｗｉｒｅｌｅｓｓ  Ａｄ  Ｈｏｃ  Ｎｅｔｗｏｒｋ）経由で前記リアルタイム動態ブラウザに送信して前記ユーザーまたは前記オブジェクトの状態について管理者の注意を喚起することを特徴とする、請求項１に記載の活動または位置をリアルタイムでモニタリングする装置。
【請求項４】
前記パラメータデータがセンサーシリアル番号、三軸センサーチップにより測定された活動状態、脈拍信号状態または緊急ボタンの状態を含むことを特徴とする、請求項１に記載の活動または位置をリアルタイムでモニタリングする装置。
【請求項５】
前記センサーがさらに、前記信号の強度の伝送距離を増加するための出力増幅器を含むことを特徴とする、請求項１に記載の活動または位置をリアルタイムでモニタリングする装置。
【請求項６】
前記受信機がワイヤレスネットワーク受信モジュール及びローカルエリアネットワークモジュールを含むことを特徴とする、請求項１に記載の活動または位置をリアルタイムでモニタリングする装置。
【請求項７】
前記センサーが第１マイクロプロセッサを含み、前記受信機が第２マイクロプロセッサを含むことを特徴とする、請求項６に記載の活動または位置をリアルタイムでモニタリングする装置。
【請求項８】
前記第１マイクロプロセッサが前記センサーの少なくとも１つのアナログ信号を受信し、それを少なくとも１つのデジタル信号に変換して前記ワイヤレスネットワーク受信モジュールに送信するために用いられ、前記第２マイクロプロセッサが、前記ワイヤレスネットワーク受信モジュールの受信するパラメータデータ及び信号強度を収集し、それをローカルエリアネットワークモジュールに送信するために用いられることを特徴とする、請求項７に記載の活動または位置をリアルタイムでモニタリングする装置。
【請求項９】
前記サーバーユニットが緊急連絡ユニットを含み、前記センサーの送信するパラメータデータの数値がサーバーユニットに設定された臨界値より低いまたは高いとき、前記緊急連絡ユニットが前記ユーザーまたはオブジェクトの活動状態または位置を確認するよう管理者に自動的に通知することを特徴とする、請求項１に記載の活動または位置をリアルタイムでモニタリングする装置。
【請求項１０】
前記ローカルエリアネットワークがイーサネット（登録商標である）であることを特徴とする、請求項１に記載の活動または位置をリアルタイムでモニタリングする装置。
【請求項１１】
前記サーバーユニット及びデータベースユニットがクラウド演算装置であることを特徴とする、請求項１に記載の活動または位置をリアルタイムでモニタリングする装置。
【請求項１２】
前記情報が個人データ、オブジェクト名、活動状態、脈拍信号、信号数値または所在位置を含むことを特徴とする、請求項１に記載の活動または位置をリアルタイムでモニタリングする装置。
【請求項１３】
前記ユーザーが独居者、認知症患者または寝たきり病人であることを特徴とする、請求項１に記載の活動または位置をリアルタイムでモニタリングする装置。